(57)【要約】【課題】皺や染み取り機能がある絆創膏を提供する。【解決手段】基材２の一側面に粘着剤３が塗布され、該粘着剤３面に剥離紙４が粘着されてなる絆創膏１の原紙７から前記剥離紙４を剥離させ、該剥離紙４のない基材２の粘着剤３表面に、皺や染み取りに薬効がある薬剤５を網目模様となるよう印刷をして塗布し、これによって粘着剤３が網目模様の隙間から露出することになって粘着機能が残る状態となり、この状態で前記剥離した剥離紙４を粘着剤表面ｏ再粘着させて形成することで、皺、染み取りの薬効がある絆創膏にする。【選択図】図１
2008206577.tif 000002
【特許請求の範囲】
【請求項１】
基材の一側面に粘着剤が塗布され、該粘着剤面に剥離紙が粘着されてなる絆創膏において、粘着剤面には、皺や染み取りに薬効がある薬剤が粘着剤の粘着機能が残る状態で塗布されていることを特徴とする皮膚の皺や染み取り機能を有した絆創膏。
【請求項２】
粘着剤の粘着機能が残る薬剤の塗布は、薬剤が網目模様、水玉模様、縞模様に代表される隙間がある模様の印刷であることを特徴とする請求項１記載の皮膚の皺や染み取り機能を有した絆創膏。
【請求項３】
剥離紙に各種形状にカットされた基材が粘着されていることを特徴とする請求項１または２記載のの皮膚の皺や染み取り機能を有した絆創膏。
【請求項４】
基材のカットは、基材を型抜きして形成されていることを特徴とする請求項３記載の皮膚の皺や染み取り機能を有した絆創膏。
【請求項５】
剥離紙には、基材の粘着がない部分にカット用のミシン目が形成されていることを特徴とする請求項３または４記載の皮膚の皺や染み取り機能を有した絆創膏。
【請求項６】
剥離紙には、基材の粘着部分を通る状態でカットされていることを特徴とする請求項３乃至５の何れか１記載の皮膚の皺や染み取り機能を有した絆創膏。
【請求項７】
基材の一側面に粘着剤が塗布され、該粘着剤面に剥離紙が粘着されてなる絆創膏の原紙から剥離紙を剥離させた基材の粘着剤表面に、皺や染み取りに薬効がある薬剤が粘着剤の粘着機能が残る状態を塗布した後、前記剥離した剥離紙を再粘着させたことを特徴とする皮膚の皺や染み取り機能を有した絆創膏の製造方法。
【請求項８】
粘着剤の粘着機能が残る薬剤の塗布は、薬剤が網目模様、水玉模様、縞模様に代表される隙間がある模様の印刷であることを特徴とする請求項７記載の皮膚の皺や染み取り機能を有した絆創膏の製造方法。
【請求項９】
薬剤が塗布された基材に剥離紙が再粘着された後、基材を各種形状に型抜きし、不要部分の基材を剥離紙から剥離したことを特徴とする請求項７または８記載の皮膚の皺や染み取り機能を有した絆創膏の製造方法。
【請求項１０】
不要部分の基材は一連状に連なっていることを特徴とする請求項９記載の皮膚の皺や染み取り機能を有した絆創膏の製造方法。
【発明の詳細な説明】
【技術分野】
【０００１】
本発明は、皮膚の皺や染み取り機能を有した絆創膏およびその製造方法の技術分野に属するものである。
【背景技術】
【０００２】
一般に、人間は加齢していくに従い皮膚がたるみ、これが皺となってくる一方で、日焼け痕等に色素が溜まって染みになってくる。このような皺や染みの発生は、美容という観点から好まない人が多く、そこで整形手術をして皺や染みを取ることが試みられているが、このような手術を受けることは本人にとって大きな負担になると共に、再手術の繰り返しや手術の失敗ということも考えられ問題がある。
そこで皺取り用の絆創膏を皮膚に貼着して皺取りをすることが提唱されている（例えば特許文献１、２）。
【特許文献１】特開２００２−４５２３２号公報
【特許文献２】特開２００４−３１３２７７号公報
【発明の開示】
【発明が解決しようとする課題】
【０００３】
ところが前記従来のものは、ストレッチ性がある基材裏面に粘着剤を塗布したものを、単に皮膚に貼着して皺取りをするだけのものであったから、皺取り効果が悪く、長期間のあいだ貼着し続けなければならないだけでなく、一旦皺延ばしができても、すぐに元通りになってしまうものであり、しかも染み取りはできないという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、基材の一側面に粘着剤が塗布され、該粘着剤面に剥離紙が粘着されてなる絆創膏において、粘着剤面には、皺や染み取りに薬効がある薬剤が粘着剤の粘着機能が残る状態で塗布されていることを特徴とする皮膚の皺や染み取り機能を有した絆創膏である。
請求項２の発明は、粘着剤の粘着機能が残る薬剤の塗布は、薬剤が網目模様、水玉模様、縞模様に代表される隙間がある模様の印刷であることを特徴とする請求項１記載の皮膚の皺や染み取り機能を有した絆創膏である。
請求項３の発明は、剥離紙に各種形状にカットされた基材が粘着されていることを特徴とする請求項１または２記載のの皮膚の皺や染み取り機能を有した絆創膏である。
請求項４の発明は、基材のカットは、基材を型抜きして形成されていることを特徴とする請求項３記載の皮膚の皺や染み取り機能を有した絆創膏である。
請求項５の発明は、剥離紙には、基材の粘着がない部分にカット用のミシン目が形成されていることを特徴とする請求項３または４記載の皮膚の皺や染み取り機能を有した絆創膏である。
請求項６の発明は、剥離紙には、基材の粘着部分を通る状態でカットされていることを特徴とする請求項３乃至５の何れか１記載の皮膚の皺や染み取り機能を有した絆創膏である。
請求項７の発明は、基材の一側面に粘着剤が塗布され、該粘着剤面に剥離紙が粘着されてなる絆創膏の原紙から剥離紙を剥離させた基材の粘着剤表面に、皺や染み取りに薬効がある薬剤が粘着剤の粘着機能が残る状態を塗布した後、前記剥離した剥離紙を再粘着させたことを特徴とする皮膚の皺や染み取り機能を有した絆創膏の製造方法である。
請求項８の発明は、粘着剤の粘着機能が残る薬剤の塗布は、薬剤が網目模様、水玉模様、縞模様に代表される隙間がある模様の印刷であることを特徴とする請求項７記載の皮膚の皺や染み取り機能を有した絆創膏の製造方法である。
請求項９の発明は、薬剤が塗布された基材に剥離紙が再粘着された後、基材を各種形状に型抜きし、不要部分の基材を剥離紙から剥離したことを特徴とする請求項７または８記載の皮膚の皺や染み取り機能を有した絆創膏の製造方法である。
請求項１０の発明は、不要部分の基材は一連状に連なっていることを特徴とする請求項９記載の皮膚の皺や染み取り機能を有した絆創膏の製造方法である。
【発明の効果】
【０００５】
請求項１または７の発明とすることで、絆創膏の基材に設けられる粘着剤面に、該粘着剤の粘着機能が残る状態で皺や染み取りに薬効がある薬剤が塗布されることになり、この結果、絆創膏を皺や染みがある皮膚に粘着しておくことで、薬効が働いて積極的な皺や染み取りができることになって、効果のある皺や染み取りが短期間のうちにできることになる。
請求項２、８の発明とすることで、粘着剤の粘着機能が残る状態で皺や染み取りに薬効がある薬剤の塗布が、通常の印刷技術を使うことで簡単にできることになる。
請求項３の発明とすることで、頬、鼻脇、目尻等の皺や染み取りをしたい個所に合わせた各種形状の薬剤付き基材を提供できることになって利便性が向上する。
請求項４または９の発明とすることで、各種形状の薬剤付き基材が簡単にできることになる。
請求項５の発明とすることで、剥離紙を必要な形状の基材が粘着したものを必要においてカットできることになって利便性が向上する。
請求項６の発明とすることで、基材を剥離する場合に、剥離紙を基材から剥がすようにして剥離することができて、基材が折れ曲がって粘着しあうようなことを回避できる。
請求項１０の発明とすることで、不要部分の基材の剥離が連続してできることになって作業性が向上する。
【発明を実施するための最良の形態】
【０００６】
次ぎに、本発明の実施の形態について図面に基づいて説明する。図面において、１は皺および染み取り機能を有した絆創膏（粘着テープ）であって、該絆創膏１は、ストレッチ性（伸縮性）がある基材２と、該基材２の一側面に塗布される粘着剤３と、該粘着材３の表面に粘着される剥離紙４とによって構成されるが、粘着剤３の表面には皺や染み取り機能を有した薬剤、例えばキトサンを主成分とする薬剤５が、本実施の形態では網目模様として印刷により塗布されており、該塗布された薬剤５の網目間の隙間に露出する粘着剤３に剥離紙４が粘着されることで構成されている。
【０００７】
そしてこの絆創膏１は、剥離紙４を剥離させた状態の基材２を、皺や染みがある皮膚に粘着させておくと、粘着剤３の表面に塗布した薬剤５の薬効が積極的に働くことになって、皺や染み取り機能が早期のうちに発揮される。しかもこの皺や染み取りの効果は、薬剤５によるものであるから持続性があり、端に薬剤のない絆創膏を単に粘着したもののようにすぐに元状態に戻ってしまうことを回避できる。
【０００８】
次に、粘着剤３の表面に薬剤５を塗布手法について説明するが、薬剤５として塗布したい模様、本実施の形態では網目模様の版を作成し、この版を用いてまず転写用のローラ６の表面に印刷するものであり、このため薬剤５としては、転写用インクの性状に近いもの、例えばキトサンをワセリンに混ぜて形成した軟膏状（ペースト状）になっているものを用いることが好ましい。該ローラ６に印刷された薬剤５を前記粘着剤３の表面に転写印刷することになる。
【０００９】
この場合の概略図を図２に示すが、このものにおいて、ストレッチ性がある基材２に剥離紙４が粘着された傷用の絆創膏の原紙７を引き出したものについて、基材２から剥離紙４を剥離させた該基材２の粘着剤３面に、前記ローラ６に印刷された薬剤５を印刷し、しかる後、前記剥離した剥離紙４を薬剤５が印刷された粘着剤３面に再粘着させれることで形成することができ、その後、基材２あるいは絆創膏全体を所定の形状にカットする等して製造することができる。
【００１０】
このように薬剤が塗布された絆創膏１は、絆創膏原紙７から剥離紙４を剥離させた状態で薬剤５を印刷により塗布することができるから、その製造が簡単である。しかも薬剤の塗布が網目模様となって隙間があり、この隙間からは予め塗布されている粘着剤３が露出することになって粘着機能が残り、この結果、薬剤塗布後、前記原紙７から剥離した剥離紙４を、再び粘着剤３面に粘着させることになって再利用するかたちで使用者のもとに提供されることになる。
【００１１】
尚、本発明は前記実施の形態に限定されるものでないことは勿論であって、薬剤としては皺や染み取り機能があるものであればキトサンに限定されるものではなく、また薬剤の塗布としては網目模様に限定されず、縞模様、水玉模様等の隙間がある模様を必要において適宜採用することができる。
【００１２】
さらにまた、本発明を実施するにあたり、前記実施の形態では基材２および剥離紙４が同一の形状にカットされたものとしたが、これに限定されるものではなく、例えば図３に示すように、頬、鼻脇、目尻等の皺や染み取りをしたい個所に合わせた各種形状にカットされた基材２が一枚状の剥離紙４に粘着されたものとすることができ、このようにした場合には、皺や染み取りをしたい個所に適合した形状のものを提供できることになる。
【００１３】
そしてこのような基材２のカットは、図５に示すように、前述の薬剤５を塗布した基材２に剥離紙４を再粘着させた後、基材２のみを必要形状に型抜き２ｂをし、不要な基材２ａを剥離紙４から剥離することで製造できるが、この場合に、不要な基材２ａを一連状に連なるものとしておけば、不要な基材２ａは連続して剥離できることになって作業性が向上する。
【００１４】
またこの場合において、図３に示すように基材２が粘着されていない部分の剥離紙４にカットすることができるようミシン目４ａを入れておくことで、必要な部分、あるいは既に使用して不要となった部分のみをカットできることになって利便性が向上する。
【００１５】
さらにまた、図４に示すように、剥離紙４について、基材２の粘着部分を通る状態でカット４ｂをしておくことで、基材２を剥離する場合に、剥離紙４から基材２を爪で引っ掻くようにして剥離するのではなく、剥離紙４を基材２から離すようにして剥離する操作ができることになって、基材２が折れ曲がって粘着しあうような不具合を回避できることになる。
【図面の簡単な説明】
【００１６】
【図１】絆創膏の断面図である。
【図２】薬剤塗布工程を示す概略図である。
【図３】ミシン目がある絆創膏の正面図である。
【図４】剥離紙にカットがある絆創膏の正面図である。
【図５】不要な基材を剥離している工程を示す概略斜視図である。
【符号の説明】
【００１７】
１    皺および染み取り機能を有した絆創膏
２    基材２
３    粘着剤
４    剥離紙
５    薬剤
６    ローラ
７    原紙
【図１】
2008206577.tif 000003
【図２】
2008206577.tif 000004
【図３】
2008206577.tif 000005
【図４】
2008206577.tif 000006
【図５】
2008206577.tif 000007